【手続補正書】
【提出日】平成19年10月2日(2007.10.2)
【手続補正１】
【補正対象書類名】明細書
【補正対象項目名】特許請求の範囲
【補正方法】変更
【補正の内容】
【特許請求の範囲】
【請求項１】  通信装置（１）とアプリケーション・サーバ（５）との間で安全なデータ転送を実行する方法において、データは前記アプリケーション・サーバ（５）と前記通信装置（１）との間を通信網で転送される（３０１，３０２；４０１，４０２）方法であって、
サーバ（５）から、通信網（２、３）に接続されたセキュリティ・アダプタ（６）にデータの安全な業務処理にするための契約案を送り（３０３，３０４，３０５，３０６；４０３，４０４）、
署名用アプリケーションを起動するために、メッセージをつくって、セキュリティ・アダプタ（６）から通信装置（１）に送り（３０７，３０８，３０９，３１０；４０５，４０６，４０７，４０８）、
送るべきデータに署名する署名用アプリケーションと（３１１，３１２；４０９，４１０）、 通信装置（１）からセキュリティ・アダプタ（６）に前記署名されたデータを送り（３１３，４１１）、 前記データの署名を検証し（３１４；４１２）、 前記業務処理を実行する前記サーバに前記検証された署名済みデータを送る（３１５；４１３）、ことを特徴とする方法。
【請求項２】  請求項１に記載の方法であって、前記サーバ（５）で情報を閲覧することは、前記アプリケーション・サーバ（５）または前記通信装置（１）のいずれかから始動される方法において、データは、前記アプリケーション・サーバ（５）と前記通信装置（１）の間を前記通信網（２、３）で転送される（３０１，３０２；４０１，４０２）ことを特徴とする方法。
【請求項３】  請求項１または２に記載の方法であって、契約案を送るステップの前に、
データの安全な業務処理を必要とする要求を、前記通信装置（１）から前記アプリケーション・サーバ（５）に、または前記アプリケーション・サーバ（５）から前記通信装置（１）に送るさらなるステップ（３０３；４０３）を更に含むことを特徴とする方法。
【請求項４】  先行する請求項のいずれかに記載の方法であって、署名用アプリケーションを起動するため、前記セキュリティ・アダプタ（６）から前記通信装置（１）にメッセージを送る前記ステップは、
少なくとも１つのメッセージに、安全を確保すべき前記業務処理と署名要求の詳細を入れるステップ（３０８；４０６）と、 前記セキュリティ・アダプタ（６）から前記通信装置（１）のスマート・カードに前記少なくとも１つのメッセージを送って、署名用アプリケーションを起動するステップ（３０９；４０７）と、
前記業務処理と、受理を促すプロンプトとの詳細を前記通信装置（１）に表示するステップ（３１０；４０８）と、をさらに含むことを特徴とする方法。
【請求項５】  先行する請求項のいずれかに記載の方法であって、前記データに署名する前記ステップは、
前記業務処理を受理するステップ（３１１；４０９）をさらに含み、前記署名用アプリケーションは、アルゴリズムを使用することによる秘密／個人用鍵を用いて、送るべき前記データに署名する（３１２；４１０）ことを特徴とする方法。
【請求項６】  先行する請求項のいずれかに記載の方法であって、契約案を送る前記ステップは、
前記セキュリティ・アダプタ（６）に前記契約案が送られる（３０６）前に受理する（３０５）ために、前記アプリケーション・サーバ（５）から前記通信装置（１）に、安全な業務処理にするための前記契約案を送るステップ（３０４）をさらに含むことを特徴とする方法。
【請求項７】  請求項４〜６のいずれかに記載の方法であって、前記スマート・カードはＳＩＭ（subscriber identity module：加入者識別モジュール）カードであり、前記データ転送プロトコルはＷＡＰ（Wireless Application Protocol：ワイヤレス・アプリケーション・プロトコル）であり、前記署名用アプリケーションはＳＡＴ（SIM Application Toolkit：ＳＩＭアプリケーション・ツールキット）アプリケーションであり、前記通信アプリケーションはＷＡＰアプリケーションであり、さらに前記メッセージは少なくともＳＭＳパケットまたはＵＳＳＤパケットであることを特徴とする方法。
【請求項８】  請求項７に記載の方法であって、前記通信装置内の前記ＷＡＰアプリケーションは、前記ＳＡＴアプリケーションが起動されると中断または終了する（３０７；４０５）ことを特徴とする方法。
【請求項９】  無線通信網（２、３）の通信装置（１）とアプリケーション・サーバ（５）との間で安全なデータ転送を実行するシステムであって、前記通信網（２、３）に接続され、前記通信装置（１）と前記アプリケーション・サーバ（５）との間の前記データ転送を監視するセキュリティ・アダプタ（６）において、
前記サーバ（５）は、データの安全な業務処理にするための契約案を前記セキュリティ・アダプタ（６）に送るようになっており、 前記セキュリティ・アダプタ（６）は、前記サーバ（５）から前記契約案を受信し、メッセージをつくって前記通信装置（１）に送り署名用アプリケーションを起動するようになっており、
前記通信装置（１）は、前記データに署名し、検証するために前記署名されたデータを前記セキュリティ・アダプタ（６）に送ようになっており、
前記セキュリティ・アダプタ（６）は、前記署名済みデータを受信し、検証のために前記署名済みデータを送り、前記業務処理を実行するアプリケーション・サーバ（５）に前記検証された署名データを送るようになっている、ことを特徴とするシステム。
【請求項１０】  請求項９に記載のシステムであって、前記通信装置（１）は、秘密／個人用鍵、データに署名するアルゴリズム、および署名ダイヤログとデータに署名することを処理する署名用アプリケーションを含むことを特徴とするシステム。
【請求項１１】  請求項１０に記載のシステムであって、前記秘密／個人用鍵、前記アルゴリズム、および前記署名用アプリケーションは、ＳＩＭカード（加入者識別モジュール）のようなスマート・カードに格納され、前記データ転送プロトコルは、ＷＡＰ（ワイヤレス・アプリケーション・プロトコル）であり、前記署名用アプリケーションは、ＳＡＴ（ＳＩＭアプリケーション・ツールキット）アプリケーションであり、前記メッセージは、少なくともＳＭＳパケットまたはＵＳＳＤパケットであることを特徴とするシステム。
【請求項１２】  請求項９〜１１のいずれかに記載のシステムであって、前記通信網は、前記通信装置（１）に接続するための移動電話通信網（２）、前記アプリケーション・サーバ（５）に接続するためのインターネット（３）および前記移動電話通信網（２）を前記インターネット（３）に接続するＷＡＰゲートウエイ（４）を含むことを特徴とするシステム。
【請求項１３】  請求項１２に記載のシステムであって、前記セキュリティ・アダプタ（６）は、前記ＷＡＰゲートウエイに接続されることを特徴とするシステム。
【請求項１４】  請求項９〜１２のいずれかに記載のシステムであって、前記セキュリティ・アダプタ（６）は、前記アプリケーション・サーバ（５）に接続されることを特徴とするシステム。
【請求項１５】  請求項９〜１４のいずれかに記載のシステムであって、前記通信装置は、移動電話機（１）または送信／受信機能を備えた携帯コンピュータであることを特徴とするシステム。
【請求項１６】  請求項１５に記載のシステムであって、前記移動電話機は、前記電話機内のある種のアプリケーションまたはオペレーティングシステムに接続された特定のアイコン、文字、フォントまたは色を表示する手段を含むシステムにおいて、ユーザが前記セキュリティ・アプリケーションと本当に直接通信していることを前記ユーザに保証することができることを特徴とするシステム。
【請求項１７】  無線通信網（２、３）に接続し、通信装置（１）と前記通信網に接続されたアプリケーション・サーバ（５）との間のデータ転送を監視するセキュリティ・アダプタであって、
安全な業務処理にするための契約案を前記通信装置（１）から受信する手段と、 署名用アプリケーションを起動するため、メッセージをつくって前記通信装置（１）に送る手段と、
前記通信装置（１）から送られた署名済みデータを受信する手段と、 前記署名済みデータを検証した後、前記業務処理を実行する前記アプリケーション・サーバ（５）に送る手段と、を特徴とするセキュリティ・アダプタ。
【請求項１８】  デジタルコンピュータ機能を備えたセキュリティ・アダプタ（６）の内部メモリにに直接ロード可能なコンピュータ・プログラム・プロダクトであって、
安全な業務処理にするための契約案を前記通信装置（１）から受信するステップと、 署名用アプリケーションを起動するため、メッセージをつくって前記通信装置（１）に送るステップと、
前記通信装置（１）から送られた署名済みデータを受信するステップと、 前記署名済みデータを検証した後、前記業務処理を実行する前記アプリケーション・サーバ（５）に送るステップと、を実行するためのソフトウエア・コード部分を含むことを特徴とするコンピュータ・プログラム・プロダクト。
【請求項１９】  コンピュータ・プログラムであって、デジタルコンピュータ機能を備えたセキュリティ・アダプタ（６）に、
安全な業務処理にするための契約案を前記通信装置（１）から受信するステップと、 署名用アプリケーションを起動するため、メッセージをつくって前記通信装置（１）に送るステップと、
前記通信装置（１）から送られた署名済みデータを受信するステップと、 前記署名済みデータを検証した後、前記業務処理を実行する前記アプリケーション・サーバ（５）に送るステップと、をコンピュータで実行させるコンピュータ・プログラム。
【請求項２０】  請求項１９に記載のコンピュータ・プログラムを記録したコンピュータ読み取り可能な記録媒体。